(57)【要約】【課題】  入力装置を備え、かつ、自動両面印刷と様々な画像処理を行うことができる印刷装置において、焼き増し印刷を行う場合、従来では多数存在する画像データの中から印刷対象となる画像データを特定することや、多岐にわたる印刷設定をまったく同じ状態に再現することが難しかった。そこで本発明は、オペレータが焼き増し印刷に必要な印刷設定情報や印刷対象となる画像データの情報を知らなくても、簡単に焼き増し印刷を行うことができる印刷装置及び印刷方法を提供するものである。【解決手段】  画像データを印刷時に記録媒体の裏面に印刷対象となっている画像データに関する情報と印刷設定に関する情報をコード化して印刷することで、焼き増し印刷を実行する際にオペレータが印刷装置に対して印刷設定を行わなくても、記録媒体の裏面のコード情報を入力装置で読み込むだけで自動的に読み取った情報を元にして複製印刷を行うことを特徴とする印刷装置及び印刷方法である。【選択図】        図１
2006167959.tif 000002
【特許請求の範囲】
【請求項１】
着脱可能な記憶媒体から印刷対象となる画像データを取得し、前記画像データに対して加工・編集して印刷することができる自動両面印刷が可能な印刷装置であって、設定されている加工・編集情報に従って印刷対象となる前記画像データに対して処理を行う画像処理手段と、前記画像処理手段により処理された画像情報に基づいて記録媒体の表面に印刷する画像印刷手段と、前記加工・編集情報と印刷対象となる前記画像データを前記記憶媒体内から特定することができる情報を所定のコード情報に変換するコード化手段と、前記コード化手段によりコード化されたコード情報を前記記録媒体の裏面の任意の位置に印刷するコード情報印刷手段と、前記コード情報印刷手段により前記記録媒体の裏面の任意の位置に印刷された前記コード情報を読み取るコード情報読み取り手段と、前記コード情報読み取り手段により読み取った前記コード情報を解析するコード情報解析手段と、前記コード情報解析手段により得られる前記加工・編集情報と前記記録媒体の表面に印刷されている画像に対応する画像データを前記記憶媒体内から特定することができる情報を用いて前記記録媒体の表面に印刷されている画像を印刷する複製印刷手段と、を有することを特徴とする印刷装置。
【請求項２】
前記コード情報印刷手段は、記録媒体の表面に印刷される画像データの色濃度情報を解析し、色濃度の高い部分の裏側の位置にコード情報を印刷することで、前記記録媒体の裏面に印刷されるコード情報が前記記録媒体の表面に裏写りするようなことがあっても影響を少なくすることを特徴とする請求項１に記載の印刷装置。
【請求項３】
前記コード情報印刷手段は、記録媒体の表面に印刷される画像データの色濃度情報を解析し、表面の色に合わせた色を用いて裏面にコード情報を印刷することで、前記記録媒体の裏面に印刷されるコード情報が前記記録媒体の表面に裏写りするようなことがあっても影響を少なくすることを特徴とする請求項１または２に記載の印刷装置。
【請求項４】
前記記憶媒体の裏面に印刷されるコード情報は、編集可能で、編集後のコード情報を読み込むことで加工・編集情報を変更して印刷することができることを特徴とする請求項１乃至３のいずれか１項に記載の印刷装置。
【請求項５】
前記加工・編集情報は、少なくとも記録媒体の種類・記録媒体のサイズ・日付印刷の有無情報・レイアウト情報・トリミング情報・フィルタ処理情報・画像補正情報・画像加工情報・スタンプ追加情報・フレーム追加情報のいずれか１つを含むことを特徴とする請求項１乃至４のいずれか１項に記載の印刷装置。
【請求項６】
着脱可能な記憶媒体から印刷対象となる画像データを取得し、前記画像データに対して加工・編集して印刷することができる自動両面印刷が可能な印刷方法であって、設定されている加工・編集情報に従って印刷対象となる前記画像データに対して処理を行う画像処理工程と、前記画像処理工程により処理された画像情報に基づいて記録媒体の表面に印刷する画像印刷工程と、前記加工・編集情報と印刷対象となる前記画像データを前記記憶媒体内から特定することができる情報を所定のコード情報に変換するコード化工程と、前記コード化工程によりコード化されたコード情報を前記記録媒体の裏面の任意の位置に印刷するコード情報印刷工程と、前記コード情報印刷工程により前記記録媒体の裏面の任意の位置に印刷された前記コード情報を読み取るコード情報読み取り工程と、前記コード情報読み取り工程により読み取った前記コード情報を解析するコード情報解析工程と、前記コード情報解析工程により得られる前記加工・編集情報と前記記録媒体の表面に印刷されている画像に対応する画像データを前記記憶媒体内から特定することができる情報を用いて前記記録媒体の表面に印刷されている画像を印刷する複製印刷工程と、を有することを特徴とする印刷方法。
【請求項７】
前記コード情報印刷工程は、記録媒体の表面に印刷される画像データの色濃度情報を解析し、色濃度の高い部分の裏側の位置にコード情報を印刷することで、前記記録媒体の裏面に印刷されるコード情報が前記記録媒体の表面に裏写りするようなことがあっても影響を少なくすることを特徴とする請求項６に記載の印刷方法。
【請求項８】
前記コード情報印刷工程は、記録媒体の表面に印刷される画像データの色濃度情報を解析し、表面の色に合わせた色を用いて裏面にコード情報を印刷することで、前記記録媒体の裏面に印刷されるコード情報が前記記録媒体の表面に裏写りするようなことがあっても影響を少なくすることを特徴とする請求項６または７に記載の印刷方法。
【請求項９】
前記記憶媒体の裏面に印刷されるコード情報は、編集可能で、編集後のコード情報を読み込むことで加工・編集情報を変更して印刷することができることを特徴とする請求項６乃至８のいずれか１項に記載の印刷方法。
【請求項１０】
前記加工・編集情報は、少なくとも記録媒体の種類・記録媒体のサイズ・日付印刷の有無情報・レイアウト情報・トリミング情報・フィルタ処理情報・画像補正情報・画像加工情報・スタンプ追加情報・フレーム追加情報のいずれか１つを含むことを特徴とする請求項６乃至９のいずれか１項に記載の印刷方法。
【発明の詳細な説明】
【技術分野】
【０００１】
本発明は印刷装置及び印刷方法に関し、例えば、記録媒体に記録された印刷時の印刷設定の情報を利用して再び以前と同じ出力結果を得ることができる印刷装置及び印刷方法に関する。
【背景技術】
【０００２】
近年、ホストコンピュータ（以下、ＰＣと呼ぶ）を逐一起動しなくても印刷することができる手軽さから、ＰＣなしでも単体で印刷することが可能な印刷装置や複合機を使ってデジタルカメラなどで撮影したデジタル画像を記録媒体に印刷することが多くなっている。上記の印刷装置や複合機は年々進む高画質化によって写真画質の印刷物をプリントアウトできるようになり、その印刷物はまさに写真代わりとして用いられるようになっている。それに伴い、従来の写真の利用用途としてポピュラーである焼き増しプリントの需要も高くなっている。
【０００３】
ところが、実際に印刷する画像データはユーザが記憶媒体に保存している画像データの氷山の一角に過ぎないことが多いにもかかわらず、記録媒体には印刷に使用した画像データに関する情報が付加されていないことがほとんどであるため、管理されていない大量の画像データの中から焼き増しプリントに必要な画像データを探し出すのは困難であった。
【０００４】
さらに、画像処理技術の発達に伴い、記録媒体のサイズ、記録媒体の種別や印刷出力枚数を設定して印刷するだけでなく、画像データに対して変倍、色変換、トリミングやフレーム追加等、種々な画像処理を施した後に記録媒体上へ印刷対象となる画像データを出力することが可能となったため、印刷物の見た目からまったく同じ加工や編集に関する印刷設定を見分けることが難しくなった。このように上記２つの理由から、簡単に焼き増しプリントを行うことができなかった。
【０００５】
また、印刷装置や複合機に十分なメモリが搭載されているならば、印刷対象となった画像データの特定に関する情報と加工や編集の印刷設定に関する情報を保存しておくことで上記の問題に対応することも可能ではあるが、低価格化の進む印刷装置や複合機に大容量のメモリを実装する事は現実的ではなかった。
【０００６】
このような状況に対応する技術としては、特許文献１が提案されている。この技術は、印刷面に電子透かしなどによって印刷対象となる画像データのＩＤを埋め込み、印刷面をスキャナで読み込むことでそのＩＤを解析し、その解析情報を利用することで焼き増しプリントに必要な画像データを特定することができる。
【特許文献１】特開２００１−２５７８６３号公報
【発明の開示】
【発明が解決しようとする課題】
【０００７】
しかしながら、上記従来技術においても問題点がある。例えば、従来技術は印刷対象となる画像データは特定できるものの、加工や編集に関する印刷設定については特に情報を印刷面に埋め込んでいないため、実際に記録媒体に印刷されている画像をスキャニングして読み込んだデータと元データを比較することで幾何学的な情報（トリミング情報や変倍率など）をスキャニング毎に算出しなければならなかった。また、画像補正や画像加工といった幾何学的ではない画像処理に関しては、スキャニングしたデータからその内容を解析することはできなかった。
【０００８】
本発明は、上記問題を鑑みてなされたものであり、画像データを印刷時に記録媒体の裏面に印刷対象となっている画像データに関する情報と印刷設定に関する情報をコード化して印刷することで、焼き増しプリントを実行する際にオペレータが印刷装置や複合機に対して印刷設定を行わなくても、印刷物の裏面のコード情報を入力装置で読み込むだけで自動的に焼き増しプリントを行うことができる印刷装置及び印刷方法を提供するものである。
【課題を解決するための手段】
【０００９】
本発明の印刷装置は、上記課題を解決するために以下のような構成を備える。
【００１０】
すなわち、着脱可能なメモリカードや光ディスクなどの記憶媒体から印刷対象となる画像データを取得し、取得した画像データに対して加工・編集して印刷することができ、かつ、自動両面印刷が可能な印刷装置であって、オペレータによって設定された加工・編集情報に従って印刷対象となる画像データに対して処理を行う画像処理手段と、画像処理手段により処理された画像情報に基づいて紙などの記録媒体の表面に印刷する画像印刷手段と、加工・編集情報と印刷対象となる画像データを記憶媒体内から特定することができる情報をバーコードやマークシートなどのコード情報に変換するコード化手段と、コード化手段によりコード化されたコード情報を記録媒体の裏面の任意の位置に印刷するコード情報印刷手段と、コード情報印刷手段により記録媒体の裏面の任意の位置に印刷されたコード情報をスキャナなどで読み取るコード情報読み取り手段と、コード情報読み取り手段により読み取ったコード情報を解析するコード情報解析手段と、コード情報解析手段により得られる加工・編集情報と記録媒体の表面に印刷されている画像に対応する画像データを記憶媒体内から特定することができる情報を用いて記録媒体の表面に印刷されている画像を焼き増し印刷する複製印刷手段を有することを特徴とする。
【００１１】
また、前記コード情報印刷手段は、記録媒体の表面に印刷される画像データの色濃度情報を解析し、色濃度の高い部分の裏側の位置に表面の色に応じた色を用いてコード情報を印刷することで、記録媒体の裏面に印刷されるコード情報が仮に記録媒体の表面に裏写りするようなことがあっても影響を少なくすることを特徴とする。
【００１２】
本発明の印刷方法は、上記課題を解決するために以下のような構成を備える。
【００１３】
すなわち、着脱可能なメモリカードや光ディスクなどの記憶媒体から印刷対象となる画像データを取得し、取得した画像データに対して加工・編集して印刷することができ、かつ、自動両面印刷が可能な印刷方法であって、オペレータによって設定された加工・編集情報に従って印刷対象となる画像データに対して処理を行う画像処理工程と、画像処理工程により処理された画像情報に基づいて紙などの記録媒体の表面に印刷する画像印刷工程と、加工・編集情報と印刷対象となる画像データを記憶媒体内から特定することができる情報をバーコードやマークシートなどのコード情報に変換するコード化工程と、コード化工程によりコード化されたコード情報を記録媒体の裏面の任意の位置に印刷するコード情報印刷工程と、コード情報印刷工程により記録媒体の裏面の任意の位置に印刷されたコード情報をスキャナなどで読み取るコード情報読み取り工程と、コード情報読み取り工程により読み取ったコード情報を解析するコード情報解析工程と、コード情報解析工程により得られる加工・編集情報と記録媒体の表面に印刷されている画像に対応する画像データを記憶媒体内から特定することができる情報を用いて記録媒体の表面に印刷されている画像を焼き増し印刷する複製印刷工程を有することを特徴とする。
【００１４】
また、前記コード情報印刷工程は、記録媒体の表面に印刷される画像データの色濃度情報を解析し、色濃度の高い部分の裏側の位置に表面の色に応じた色を用いてコード情報を印刷することで、記録媒体の裏面に印刷されるコード情報が仮に記録媒体の表面に裏写りするようなことがあっても影響を少なくすることを特徴とする。
【発明の効果】
【００１５】
本発明は、印刷対象となる画像データを印刷する際、画像データを記録媒体の表面に、加工・編集情報と画像データ詳細情報をコード化したコード情報を記録媒体の裏面の任意の位置に印刷する機能を有する。これにより、オペレータは記録媒体の裏面に印刷されているコード情報を読み込み装置で読み取るだけで、簡単に記録媒体の表面に印刷されている画像の複製印刷を行うことができる。
【発明を実施するための最良の形態】
【００１６】
実施例において、本発明の実施の形態を図面と共に説明する。
【実施例】
【００１７】
図１は、本発明の実施形態に係る印刷装置１００の概観斜視図である。この印刷装置１００は、ＰＣからデータを受信して印刷する通常のＰＣプリンタとしての機能とは別に、スキャナから画像データを読み取って印刷する機能、着脱可能な外部記憶媒体に対してダイレクトにアクセスして印刷する機能、及び、デジタルカメラからダイレクトに画像データを受信して印刷する機能を備えている。記録方式としては如何なるものでも良いが、本実施形態では記録解像度、印刷品質等の観点から、熱エネルギーを利用してインク液滴を記録媒体に向けて吐出するインクジェットプリンタとした。
【００１８】
図１において、本発明の実施形態に係る印刷装置１００の外殻をなす本体は、下ケース１０１、プリンタカバー１０２、原稿台カバー１０３、及び、排出トレイ１０４の外装部材を有している。下ケース１０１は、印刷装置１００の略下半部を形成しており、内部に後述の各機構を収納する収納空間を有する中空体構造をなし、その前面部には開口部が形成されている。プリンタカバー１０２は、その一端部が下ケース１０１に回転自在に保持され、上面に形成される開口部を開閉できるようになっており、このプリンタカバー１０２を開くことによって本体内部に収納されている記録ヘッドカートリッジ（不図示）あるいはインクタンク（不図示）等の交換が可能となる。
【００１９】
なお、ここでは特に図示しないが、プリンタカバー１０２を開閉させると、その裏面に形成された突起がカバー開閉レバーを回転させるようになっており、そのレバーの回転位置をマイクロスイッチなどで検出することにより、プリンタカバー１０２の開閉状態を検出できるようになっている。
【００２０】
また、プリンタカバー１０２の内部にはスキャナユニット（不図示）が内蔵されている。原稿台カバー１０３は、その一端部がプリンタカバー１０２に回転自在に保持され、原稿台カバー１０３を開けることでプリンタカバー１０２内に設けられているスキャナへアクセスすることができ、原稿台カバー１０３を閉めることでスキャナの読み取り面を保護することができる。
【００２１】
排出トレイ１０４は、その一端部が下ケース１０１の開口部分に保持されており、記録動作を実行させる際には、ここから記録媒体が排出可能となると共に、排出された記録媒体を順次積載できるようになっている。
【００２２】
また、プリンタカバー１０２の向かって右面には、電源キー１０５が押下可能に設けられている。さらに、プリンタカバー１０２の向かって左側には、液晶表示部１０６（ユーザインターフェース表示用）が設けられており、プリンタカバー１０２の中央には、各種キースイッチ等を備える操作パネル１０９が設けられている。１０７は自動給送部で、記録媒体を装置本体内へと自動的に給送する。
【００２３】
なお、ここでは特に図示しないが、自動両面印刷用の両面搬送ユニットが下ケース１０１内に内蔵されている。１０８はカードスロットで、ここにメモリカードを挿入することでメモリカードに保存されている画像データを直接取り込んで印刷することができる。このメモリカードとしては、例えばコンパクトフラッシュ（登録商標）メモリ、スマートメディア、メモリスティック等がある。
【００２４】
１１０は外部機器と接続するためのコネクタ端子（ＵＳＢ端子）であり、例えばデジタルカメラや外部光ディスク装置などを接続し、ダイレクトに画像データを受信するためのものである。なお、この印刷装置１００の後面には、ＰＣを接続するためのコネクタ端子（ＵＳＢコネクタ）が設けられている。
【００２５】
図２は、本発明の実施形態に係る印刷装置１００のブロック構成図である。印刷装置１００は先に説明したように、ＰＣと接続して印刷する機能（装置背面にＰＣと接続するＵＳＢコネクタが設けられていることは既に説明した）を有する。
【００２６】
また、デジタルカメラ等の撮像装置や外部光ディスク装置とダイレクトに接続し印刷する機能、デジタルカメラ等で使用されたメモリカードに直接アクセスして画像データを読出し印刷する機能、及び、スキャナで読み取った画像データを印刷する機能を有する。かかる機能を実現するため、外部接続装置とのインターフェースである図１に既出のコネクタ端子１１０、メモリカードに直接アクセスするインターフェースである図１に既出のカードスロット１０８、スキャナなどによる図１に既出の画像読み取り部１０２、印刷対象となる画像や条件などを表示する図１に既出の液晶表示部１０６、オペレータが印刷設定を行う図１に既出の操作パネル１０９、及び、印刷処理部２１０とを備えている。
【００２７】
印刷処理部２１０は、不図示の各記録色成分のインクタンク及びその記録ヘッドを搭載したキャリッジを走査運動する機構、並びに、記録ヘッドの駆動回路等で構成され、後述のシステム制御部２００によって制御される。
【００２８】
システム制御部２００は、装置全体を制御する制御部で、以下の構成要素を備えている。
【００２９】
２０１は印刷設定記憶メモリで、オペレータが操作パネル１０９を操作することによって指示する加工・編集情報や画像データが保存されている外部記憶媒体から印刷対象となる画像データを特定することができる情報（以下、画像データ詳細情報と呼ぶ）を印刷設定記憶メモリに設定する。
【００３０】
また、後述のコード情報解析部２０５によって得られる加工・編集情報や画像データ詳細情報も印刷設定記憶メモリ２０１に設定する。ここで言う加工・編集設定とは、記録媒体の種類・記録媒体のサイズ・日付印刷の有無情報・レイアウト情報・トリミング情報・フィルタ処理情報・画像補正情報・画像加工情報・スタンプ追加情報・フレーム追加情報などを、画像データ詳細情報とは、画像データが保存されている外部記憶媒体へのパス情報や、画像データを特定するためのファイル属性情報などを指す。
【００３１】
２０２は画像処理部で、印刷設定記憶メモリ２０１に設定されている加工・編集情報に則って印刷対象となる画像データに対して画像処理を行う。
【００３２】
２０３はコード情報作成部で、印刷設定記憶メモリ２０１に設定されている加工・編集情報と画像データ詳細情報を表すコード情報を作成する。ここで言うコード情報の形式とはバーコード形式やマークシート形式などを指す。
【００３３】
２０４はコード情報印刷データ作成部で、コード情報作成部２０３で作成されたコード情報を記録媒体のどの位置にどの色を用いて印刷するかを、印刷対象となる画像データの色濃度情報を解析して決定する。例えば、記録媒体の表面に図３（ａ）に示すような画像データ（黒い色の自動車）を印刷するとき、コード情報印刷データ作成部２０４は表面の画像データの色濃度を解析し、色濃度が高い部分の裏側に表面の色と同系色（ここでは黒色）でコード情報（ここではバーコード形式）を記録媒体の裏面へ図３（ｂ）に示すようにレイアウトする。これにより、コード情報を認識しやすい濃度の高い色で印刷できると共に、仮に表面にコード情報が裏写りするようなことがあってもその影響を少なくすることができる。
【００３４】
２０５はコード情報解析部で、記録媒体の裏面から画像読み取り部１０２を用いて読み取ったコード情報より加工・編集情報や画像データ詳細情報を解析する。得られた情報は印刷設定記憶メモリ２０１に設定する。また、読み取る前のコード情報にオペレータが編集を加えることでコード情報の内容を変更することもできる。
【００３５】
例えば、図４（ａ）に示すようなコード情報（ここではマークシート形式）が記録媒体の裏面に印刷されている場合、図４（ｂ）のように編集してから画像読み取り部１０２でコード情報を読み取ることで、加工・編集情報の解析結果を「用紙種類：専用紙、用紙サイズ：Ｌ判、フチ設定：フチあり、日付設定：日付あり、フレーム印刷：フレームなし」から「用紙種類：専用紙、用紙サイズ：２Ｌ判、フチ設定：フチなし、日付設定：日付あり、フレーム印刷：ハートフレーム」に変更することができる。
【００３６】
図５は、本発明の実施形態に係るメモリカードから直接対象画像データを印刷するときの処理手順を示すフローチャートである。まず、ステップＳ５０１では、システム制御部２００がオペレータの事前の指示によって加工・編集情報や画像データ詳細情報が設定されている印刷設定記憶メモリ２０１から画像データ詳細情報を取得し、その情報を元に印刷対象となる画像データを外部記憶媒体や外部光ディスク装置などから取得する。
【００３７】
ステップＳ５０２では、画像処理部２０２が印刷設定記憶メモリ２０１に設定されている加工・編集情報を元に、ステップＳ５０１で取得した画像データに対して画像処理を行う。また、このステップでは画像処理と同時に画像データの色濃度情報も合わせて取得しておく。
【００３８】
ステップＳ５０３では、印刷処理部２１０がステップＳ５０２で処理された画像情報を記録媒体の表面に印刷する。ステップＳ５０４では、コード情報作成部２０３が印刷設定記憶メモリ２０１に設定されている加工・編集情報や画像データ詳細情報をコード化する。
【００３９】
ステップＳ５０５では、コード情報印刷データ作成部２０４がステップＳ５０２で取得した色濃度情報を元に、ステップＳ５０４でコード化したコード情報を記録媒体の裏面のどの位置にどの色でレイアウトし印刷するか決定する。ステップＳ５０６では、印刷処理部２１０がステップＳ５０５で決定したレイアウトや色でコード情報を記録媒体の裏面に印刷する。
【００４０】
図６は、本発明の実施形態に係る記録媒体の裏面に印刷されているコード情報を読み込んで複製印刷を行う処理手順を示すフローチャートである。
【００４１】
まず、ステップＳ６０１では、システム制御部２００がオペレータによって画像読み取り部１０２にセットされた記録媒体の裏側に印刷されているコード情報を読み込む。
【００４２】
ステップＳ６０２では、コード情報解析部２０５がステップＳ６０１で読み込んだコード情報を解析し、加工・編集情報と画像データ詳細情報を取得する。なお、コード情報に編集が加えられていた場合は、編集後のコード情報を解析し情報を取得する。
【００４３】
ステップＳ６０３では、システム制御部２００がステップＳ６０２にて取得した加工・編集情報と画像データ詳細情報を印刷設定記憶メモリ２０１に設定する。ステップＳ６０４では、システム制御部２００が印刷設定記憶メモリ２０１に設定されている画像データ詳細情報を元に、印刷対象となる画像データを外部記憶媒体や外部光ディスク装置などから検索する。
【００４４】
ステップＳ６０５では、システム制御部２００がステップＳ６０４において検索した画像データが存在するかどうか判断する。もし、存在するならばステップＳ６０６へ進む。もし、存在しないならばステップＳ６１２へ進む。
【００４５】
ステップＳ６０６では、画像処理部２０２が印刷設定記憶メモリ２０１に設定されている加工・編集情報を元に、ステップＳ６０４で検索した画像データに対して画像処理を行う。ステップＳ６０７では、印刷処理部２１０がステップＳ６０６で処理された画像情報を記録媒体の表面に印刷する。
【００４６】
ステップＳ６０８では、システム制御部２００がステップＳ６０２において読み込んだコード情報がオペレータによって編集されていたかどうか判断する。もし、編集が加えられていないならばステップＳ６１１へ進む。もし、編集が加えられているならばステップＳ６０９へ進む。
【００４７】
ステップＳ６０９では、コード情報作成部２０３が印刷設定記憶メモリ２０１に設定されている加工・編集情報や画像データ詳細情報をコード化する。ステップＳ６１０では、コード情報印刷データ作成部２０４がステップＳ６０９でコード化したコード情報を記録媒体のどの位置にどの色でレイアウトし印刷するか決定する。ステップＳ６１１では、印刷処理部２１０がコード情報を記録媒体の裏面に印刷する。ステップＳ６１２では、システム制御部２００が印刷できなかった旨をオペレータに通知し、そのまま処理を終了する。
【００４８】
なお、上記実施例では、図１において印刷装置１００が複合機のような構成になっているが、単機能の印刷装置にバーコードリーダが接続されているような構成であっても本出願に係る発明に含まれることは言うまでもない。
【図面の簡単な説明】
【００４９】
【図１】本発明の実施形態に係る印刷装置１００の概観斜視図
【図２】本発明の実施形態に係る印刷装置１００のブロック構成図
【図３】コード情報印刷データ作成部２０４がコード情報をレイアウトする場所と使用する色の例を示す図
【図４】記録媒体の裏面に印刷されているコード情報に対して編集を行う場合のコード情報書式の例を示す図
【図５】本発明の実施形態に係るメモリカードから直接対象画像データを印刷するときの処理手順を示すフローチャート
【図６】本発明の実施形態に係る記録媒体の裏面に印刷されているコード情報を読み込んで複製印刷を行う処理手順を示すフローチャート
【符号の説明】
【００５０】
１００  印刷装置
１０１  下ケース
１０２  プリンタカバー（画像読み取り部を内蔵）
１０３  原稿台カバー
１０４  排出トレイ
１０５  電源キー
１０６  液晶表示部
１０７  自動給送部
１０８  カードスロット
１０９  操作パネル
１１０  コネクタ端子
２００  システム制御部
２０１  印刷設定記憶メモリ
２０２  画像処理部
２０３  コード情報作成部
２０４  コード情報印刷データ作成部
２０５  コード情報解析部
２１０  印刷処理部
【図１】
2006167959.tif 000003
【図２】
2006167959.tif 000004
【図３】
2006167959.tif 000005
【図４】
2006167959.tif 000006
【図５】
2006167959.tif 000007
【図６】
2006167959.tif 000008